(57)【要約】【課題】  自装置の電話番号を表示手段に一つしか表示することができない電話装置において、内線番号と外線番号を切り替えて表示することができるようにする。【解決手段】  付与された自装置の内線番号か外線番号のいずれか一方のみ表示可能な表示手段１１と、該表示手段１１に表示する電話番号を登録する登録手段１２、７とを有し、内線番号と外線番号が付与された電話装置において、前記登録手段１２、７は前記内線番号と前記外線番号を登録し、切替キーと、該切替キーが操作されたときに前記内線番号の表示と前記外線番号の表示を切り替えさせる制御手段７を備える。【選択図】        図４
2005333553.tif 000002
【特許請求の範囲】
【請求項１】
付与された自装置の内線番号か外線番号のいずれか一方のみ表示可能な表示手段と、該表示手段に表示する電話番号を登録する登録手段とを有し、内線番号と外線番号が付与された電話装置において、
前記登録手段は前記内線番号と前記外線番号を登録し、切替キーと、該切替キーが操作されたときに前記内線番号の表示と前記外線番号の表示を切り替えさせる制御手段を備えたことを特徴とする電話装置。
【請求項２】
付与された自装置の内線番号か外線番号のいずれか一方のみ表示可能な表示手段と、該表示手段に表示する電話番号を登録する登録手段とを有し、内線番号と外線番号が付与された電話装置において、
前記登録手段は前記内線番号と前記外線番号を登録し、前記内線番号を表示しているときに外線との通話に移行すれば前記外線番号の表示に切り替えさせる制御手段を備えたことを特徴とする電話装置。
【請求項３】
付与された自装置の内線番号か外線番号のいずれか一方のみ表示可能な表示手段と、該表示手段に表示する電話番号を登録する登録手段とを有し、内線番号と外線番号が付与された電話装置において、
前記登録手段は前記内線番号と前記外線番号を登録し、前記外線番号を表示しているときに内線との通話に移行すれば前記内線番号の表示に切り替えさせる制御手段を備えたことを特徴とする電話装置。
【請求項４】
付与された自装置の内線番号か外線番号のいずれか一方のみ表示可能な表示手段と、該表示手段に表示する電話番号を登録する登録手段とを有し、内線番号と外線番号が付与された電話装置において、
前記登録手段は前記内線番号と前記外線番号を登録し、切替キーと、内線との通話中は前記内線番号の表示に切り替えさせ、外線との通話中は前記外線番号の表示に切り替えさせ、通話中であっても前記切替キーが操作されたときは前記内線番号の表示と前記外線番号の表示を切り替えさせる制御手段を備えたことを特徴とする電話装置。
【発明の詳細な説明】
【技術分野】
【０００１】
本発明は、内線番号と外線番号が付与され、付与された内線番号と外線番号のいずれか一方のみ表示可能な表示手段を有する電話装置に関する。
【背景技術】
【０００２】
自装置の電話番号を使用者が記憶していなかったり知らなかったときのために自装置の電話番号を表示することが考えられ（例えば特許文献１参照）、相手に自装置の電話番号を通知するとき等に便利であった。
【特許文献１】特開平０２−３０９８６４号公報
【発明の開示】
【発明が解決しようとする課題】
【０００３】
しかしながら、電話装置の表示部は小さいために、通常、自装置の表示番号として一つの電話番号しか登録することができない。このことは、特に、内線番号と外線番号の両方が付与された電話装置にとって、内線番号と外線番号の選択表示ができず、不便であった。
【課題を解決するための手段】
【０００４】
本発明はかかる点に鑑みなされたもので、付与された自装置の内線番号か外線番号のいずれか一方のみ表示可能な表示手段と、該表示手段に表示する電話番号を登録する登録手段とを有し、内線番号と外線番号が付与された電話装置において、
前記登録手段は前記内線番号と前記外線番号を登録し、切替キーと、該切替キーが操作されたときに前記内線番号の表示と前記外線番号の表示を切り替えさせる制御手段を備える。
【０００５】
これにより、内線番号と外線番号の選択表示が可能となる。
【０００６】
また、前記内線番号を表示している待機状態から外線との通話に移行するときは前記外線番号の表示に切り替えさせる制御手段を備える。
【０００７】
これにより、外線通話のときは、自動的に必要性が高い外線番号に切り替えることができる。
【０００８】
また、前記外線番号を表示しているときに内線との通話に移行すれば前記内線番号の表示に切り替えさせる制御手段を備える。
【０００９】
これにより、内線通話のときは、必要性が高い内線番号を自動的に表示することができる。
【００１０】
また、切替キーと、内線との通話中は前記内線番号の表示に切り替えさせ、外線との通話中は前記外線番号の表示に切り替えさせ、通話中であっても前記切替キーが操作されたときは前記内線番号の表示と前記外線番号の表示を切り替えさせる制御手段を備える。
【００１１】
これにより、表示の自動切り替えよりも使用者の表示切り替え操作を優先させることができる。
【発明の効果】
【００１２】
内線番号と外線番号を登録することにより、内線番号と外線番号の選択を可能にすることができる。また、内線通話か外線通話であるかを検出して、内線通話のときは自動的に必要性が高い内線番号表示に切り替え、外線通話のときは自動的に必要性が高い外線番号に切り替えるので、操作性に優れる。
【発明を実施するための最良の形態】
【００１３】
本発明の実施の形態を図面に基づき説明する。図１は本発明の電話装置の要部の構成を示すブロック図である。この電話装置は構内（例えば、会社内）に設置され、構内交換機（図示せず。）に接続される。そして、内線番号と外線番号が付与される。
【００１４】
（１）は着信検出回路であり、電話回線に接続され呼出信号を検出する。（２）は内線番号判定回路であり、通話の相手が内線番号であるか否かを判定する。（３）は発呼者開放検出回路であり、発呼者が回線を開放したことを検出する。
【００１５】
（４）はネットワーク回路であり、電話回線に接続され回線の開放（オンフック）・閉結（オフフック，直流ループの形成）を行う。（５）はダイヤル発信回路であり、後述の制御回路（７）が指定するダイヤル番号を発信する。（６）はハンドセットであり、スピーカ（６１）とマイクロホン（６２）を有し、ネットワーク回路（４）に接続される。
【００１６】
（７）はマイクロプロセッサからなる制御回路であり、動作のプログラムを記憶したＲＯＭ（８）に基づき各部を制御する。（９）はＲＡＭであり、制御回路（７）の動作に必要な情報を記憶する。
【００１７】
（１０）はベルであり、着信時に呼出音を出力する。（１１）は液晶の表示手段であり、小型であるので、付与された自装置の番号は外線番号と内線番号のいずれか一方のみしか表示することができない。（１２）は入力手段であり、電話番号の入力を操作するテンキー（１２１）、着信の応答やダイヤル発信を操作する通話キー（１２２）、通話の終了を操作する終話キー（１２３）、各種の設定や特殊機能の操作を操作する機能キー（１２４）やカーソルの移動を操作するカーソルキー（１２５）を有する。
【００１８】
次に本発明の表示切り替え動作を説明する。表示手段（１１）は表示領域が小さいために、自装置の電話番号表示として内線番号か外線番号のいずれか一方しか表示することができない。図２は内線番号の表示例であり、図３は外線番号の表示例である。この表示手段（１１）に表示する内線番号と外線番号は入力手段（１２）の操作により制御回路（７）の登録動作によって、あらかじめ登録され、登録された内線番号と外線番号はＲＡＭ（９）に記憶される。そして、制御回路（７）がこの内線番号と外線番号の表示切り替え動作を行う。
【００１９】
図４は表示切り替え動作を示すフローチャートである。図４において、Ｌは内線番号の表示にするか外線番号の表示にするかを示す変数であり、制御回路（７）内のレジスタ（図示せず。）に記憶され、変数Ｌが０のときは内線表示となり、変数Ｌが１のときは外線表示となる。Ｍは終話後に外線番号／内線番号の表示変更をするか否かを示す変数であり、制御回路（７）内のレジスタ（図示せず。）に記憶され、変数Ｍが０のときは外線番号／内線番号の表示変更をせず、変数Ｍが１のときは外線番号／内線番号の表示変更をする。
【００２０】
制御回路（７）は、初期状態として変数Ｌを０にし、変数Ｍを０にする（ステップＳ１）。そして自装置の電話番号として内線番号を表示させる（ステップＳ２）。  制御回路（７）は、手動で外線番号／内線番号の表示切り替え操作が行われたか（ステップＳ３）、内線通話が開始されたか（ステップＳ４）、外線通話が開始されたか（ステップＳ５）、内線通話が終了されたか（ステップＳ６）、外線通話が終了されたか（ステップＳ７）を監視する。手動の切り替え操作は、例えば、機能キー（１２４）を押しながらテンキー（１２１）中の＃キー（図示せず。）を押すことにより行われる。内線通話と外線通話の判別は、内線番号判定回路（２）が、発信のときはダイヤル発信回路（５）からのダイヤル番号に基づいて判別し、着信のときは構内交換機（図示せず。）から受信する内線着信／外線着信判別情報に基づいて判別する。
【００２１】
制御回路（７）は、手動で外線番号／内線番号の表示切り替え操作が行われると（ステップＳ３のＹ）、内線番号表示と外線番号表示を切り替える（ステップＳ１２〜Ｓ１６）。
【００２２】
このように、本願発明は使用者の意図により、内線番号表示と外線番号表示を切り替えることができる。
【００２３】
制御回路（７）は、内線通話が開始されると（ステップＳ４のＹ）、外線番号表示をしていれば（ステップＳ１７のＹ）、内線番号表示に変更する（ステップＳ１８、Ｓ１６）。このとき、終話したときに元の外線番号表示に戻す必要があることのフラグをたてるために、変数Ｍを１に変える（ステップＳ１８）。そして、内線通話が終了したときに（ステップＳ６のＹ）、外線番号表示に戻す必要があることのフラグがたっていれば（ステップＳ２２のＹ）、外線番号表示に戻す（ステップＳ２１）。
【００２４】
制御回路（７）は、外線通話が開始されると（ステップＳ５のＹ）、内線番号表示をしていれば（ステップＳ１９のＹ）、外線番号表示に変更する（ステップＳ２０、Ｓ２１）。このとき、終話したときに元の内線番号表示に戻す必要があることのフラグをたてるために、変数Ｍを１に変える（ステップＳ２０）。そして、外線通話が終了したときに（ステップＳ７のＹ）、内線番号表示に戻す必要があることのフラグがたっていれば（ステップＳ２４のＹ）、内線番号表示に戻す（ステップＳ２６）。
【００２５】
尚、手動での外線番号／内線番号の表示切り替え操作は通話中でも有効であり、このときの元の番号表示に戻すためのフラグはＯＮ／ＯＦＦ切り替えする（ステップ８〜Ｓ１１）。
【００２６】
このように、内線通話か外線通話であるかを検出して、内線通話のときは自動的に必要性が高い内線番号表示に切り替え、外線通話のときは自動的に必要性が高い外線番号に切り替える。
【００２７】
尚、上述の実施例での手動の表示変更は切り替えであったが、内線番号表示キーと外線番号表示キーを備え、内線番号表示キーが操作されれば内線番号を表示し、外線番号表示キーが操作されれば外線番号を表示するようにしてもよい。
【００２８】
また、本願発明は、内線番号や外線番号が複数付与された電話装置に適用させることができる。例えば、所定の順で複数の電話番号を切り替えたり、表示する内線番号や外線番号を予め一つ設定することにより適用させることができる。
【００２９】
また、本願発明は着信時や発信時でなく、通話開始時に内線番号表示／外線番号表示の切り替えを行っている。着信時には発呼者番号が表示され、発信時には発信するダイヤル番号が表示されることがあり、この場合、本発明は着信時や発信時は発呼者番号やダイヤル番号を表示し、通話が開始したときに発呼者番号やダイヤル番号を自装置の電話番号に変更することもできる。これにより、表示領域を有効に使用することができるという作用効果がある。
【図面の簡単な説明】
【００３０】
【図１】本発明の要部の構成を示すブロック図である。
【図２】内線表示の例を示す図である。
【図３】外線表示の例を示す図である。
【図４】本発明の表示切り替え動作を示すフローチャートである。
【符号の説明】
【００３１】
１  着信検出回路
２  内線番号判定回路
７  制御回路
８  ＲＯＭ
９  ＲＡＭ
１１  表示手段
１２  入力手段
【図１】
2005333553.tif 000003
【図２】
2005333553.tif 000004
【図３】
2005333553.tif 000005
【図４】
2005333553.tif 000006